(57)【要約】【課題】  汗を十分に吸収し、同時に冷却感を肌に与えてほてりも鎮めることができる身体清浄用シートを提供する。【解決手段】  水性物質吸収性領域部と、水を含有したゲル状組成物領域部とを有することを特徴とする身体清浄用シート。  前記水性物質吸収性領域部は、シート表面の少なくとも一部を構成し、ゲル状組成物領域部はシート裏面の少なくとも一部を構成することが望ましい。  また、上記水性物質吸収性領域部は、孔面積が０．１〜１０ｍｍ2、坪量４０〜１５０ｇ／ｍ2である開孔状スパンレース不織布、坪量１５〜１００ｇ／ｍ2である開孔状でないスパンレース不織布、及び坪量１５〜１００ｇ／ｍ2である乾式パルプ不織布から選ばれる何れか一つから構成することが望ましい。【選択図】  なし【特許請求の範囲】
【請求項１】
水性物質吸収性領域部と、水を含有したゲル状組成物領域部とを有することを特徴とする身体清浄用シート。
【請求項２】
水性物質吸収性領域部がシート表面の少なくとも一部を構成し、ゲル状組成物領域部がシート裏面の少なくとも一部を構成している請求項１記載の身体清浄用シート。
【請求項３】
水性物質吸収性領域部は、孔面積が０．１〜１０ｍｍ2、坪量４０〜１５０ｇ／ｍ2である開孔状スパンレース不織布、坪量１５〜１００ｇ／ｍ2である開孔状でないスパンレース不織布、及び坪量１５〜１００ｇ／ｍ2である乾式パルプ不織布から選ばれる何れか一つである請求項１又は２記載の身体清浄用シート。
【請求項４】
ゲル状組成物領域部の水分含有量が３０質量％以上である請求項１〜３の何れか一つに記載の身体清浄用シート。
【発明の詳細な説明】
【技術分野】
【０００１】
本発明は、汗をすばやく吸収すると共に、冷感（冷却感）を肌に与えてほてりも鎮めることができる身体清浄用シートに関する。
【背景技術】
【０００２】
従来より、身体の汗を拭く手段としては、ミニタオル、ハンカチなどが用いられているが、ミニタオル、ハンカチは汗の吸収量は高いものの冷却効果は全くなく、暑い日のほてりを鎮めることはできないものである。
【０００３】
一方、水やエタノールを含浸させたウエットシート類等は、冷却感を有するものであり、従来より数多くのものが知られている。例えば、水溶性高分子からなり、かつ、水が４０重量％以上含有された保水性母材と、該保水性母材内に分散保持された少なくとも表面が親水性を有する繊維とからなり、該繊維の少なくとも一部が上記保水性母材表面に露出している保冷、保湿用ゲル等（例えば、特許文献１参照）や、水溶性高分子からなる保水性母材内に分散保持された繊維群とからなり、上記保水性母材には水が５０重量％以上含有され、上記繊維群は少なくとも表面が親水性を有し、かつ、その一部が該保水性母材表面に露出するように用いられている保冷、保湿用ゲル、及び該保冷、保湿用ゲルが網状シートを介して多層に積層された保冷、保湿用ゲル積層体（例えば、特許文献２参照）が知られている。
【０００４】
また、少なくとも一方の表面に配置されたセルロース繊維不織布と着色されたシートを有する積層体であって、使用に際して前記セルロース繊維不織布に水、水溶液、保湿性ゲルまたは薬効用ゲルを付与して皮膚の所定箇所を被覆するのに使用する湿潤用基材（例えば、特許文献３参照）や、少なくとも一面が透明フィルムからなるプラスチック製の外装袋に、内装袋内に充填された含水率が７５重量％以下の含水ゲルが封入されていることを特徴とする保冷枕（例えば、特許文献４参照）や、不織布に高密度化繊紙を積層したシートと表面層となるコットン布との周縁部をヒートシールした袋対の中に、２枚の薄紙の間に高吸水性ポリマーの微粉を散在させて圧着したシート状小片を封入したものがシート状に連設された保冷材（例えば、特許文献５参照）が知られている。
【０００５】
しかしながら、上記特許文献１及び２に記載される保冷、保湿用ゲル又はその積層体は、既に吸水した状態でありこれ以上水分を吸収することはできないものであり、また、上記特許文献３に記載される湿潤用基材は、ゲルの水分を吸収してしまい、これ以上水分を吸収することはできないものである。
更に、上記特許文献４に記載される保冷枕は、ゲル全体を覆っているものがプラスチック製袋なので、水分を吸収することはできるものではなく、また、上記特許文献５に記載される保冷材は、高吸水ポリマーを使用しているので、すぐに冷却感がないものであり、しかも、冷水に浸して使うものである。
従って、従来のものは、汗吸収性と冷却感を同時に満足させるものはなく、汗をすばやく吸収すると共に、冷感を肌に与えてほてりも鎮めることができる身体清浄用シートなどの出現が切望されているのが現状である。
【特許文献１】特開２０００−１０７２１９号公報（特許請求の範囲、実施例等）
【特許文献２】登録実用新案第３０５７４５７号公報（請求の範囲等）
【特許文献３】特開２００１−２６１５２７号公報（特許請求の範囲、実施例等）
【特許文献４】特開２００１−２１２１６８号公報（特許請求の範囲、実施例等）
【特許文献５】実開平５−１５９３１号公報（請求の範囲等）
【発明の開示】
【発明が解決しようとする課題】
【０００６】
本発明は、上記従来技術の課題及び現状等に鑑み、これを解消しようとするものであり、汗を十分に吸収し、同時に冷却感を肌に与えてほてりも鎮めることができる身体清浄用シートを提供することを目的とする。
【課題を解決するための手段】
【０００７】
本発明者らは、上記従来の課題等を解決するために、鋭意検討した結果、シート体に汗等を吸収する特定の領域と、冷却感を肌に与える特定の領域とを有することにより、上記目的の身体清浄用シートが得られることを見い出し、本発明を完成するに至ったのである。
【０００８】
すなわち、本発明は、次の（１）〜（４）に存する。
（１）水性物質吸収性領域部と、水を含有したゲル状組成物領域部とを有することを特徴とする身体清浄用シート。
（２）水性物質吸収性領域部がシート表面の少なくとも一部を構成し、ゲル状組成物領域部がシート裏面の少なくとも一部を構成している上記（１）記載の身体清浄用シート。
（３）水性物質吸収性領域部は、孔面積が０．１〜１０ｍｍ2、坪量４０〜１５０ｇ／ｍ2である開孔状スパンレース不織布、坪量１５〜１００ｇ／ｍ2である開孔状でないスパンレース不織布、及び坪量１５〜１００ｇ／ｍ2である乾式パルプ不織布から選ばれる何れか一つである上記（１）又は（２）記載の身体清浄用シート。
（４）ゲル状組成物領域部の水分含有量が３０質量％以上である上記（１）〜（３）の何れか一つに記載の身体清浄用シート。
【発明の効果】
【０００９】
本発明によれば、汗をすばやく吸収すると共に、冷感を肌に与えてほてりも鎮めることができる身体清浄用シートが提供される。
【発明を実施するための最良の形態】
【００１０】
以下に、本発明の実施形態を詳しく説明する。
本発明の身体清浄用シートは、水性物質吸収性領域部と、水を含有したゲル状組成物領域部とを有することを特徴とするものである。
【００１１】
本発明の身体清浄用シートの構造としては、例えば、図１（ａ）に示すように、水性物質吸収性領域部１０がシート表面部を構成し、ゲル状組成物領域部２０がシート裏面部を構成してなる身体清浄用シートＡ、図１（ｂ）に示すように、水性物質吸収性領域部１０がシート表面部を構成し、ゲル状組成物領域部２０がシート裏面部を構成すると共に、該水性物質吸収性領域部１０とゲル状組成物領域部２０との間に水不透過性フィルム３０が中間層として介在してなる身体清浄用シートＢ、図１（ｃ）に示すように、水性物質吸収性領域部１０がシート表面部を構成し、ゲル状組成物領域部２０がシート裏面部を構成すると共に、該水性物質吸収性領域部１０とゲル状組成物領域部２０との間に水不透過性不織布４０が中間層として介在してなる身体清浄用シートＣなどが挙げられる。
好ましくは、冷却効果の高さの点から図１（ｂ）に示される、水性物質吸収性領域部１０がシート表面の少なくとも一部を構成し、ゲル状組成物領域部２０が裏面の少なくとも一部を構成し、水不透過性フィルム３０が中間層として構成されるものが望ましい。
【００１２】
本発明において、水性物質吸収性領域部１０は、汗などの水性物質をふき取る基材部となるものであり、親水性繊維、合成繊維、パルプ等を用いて形成される水性物質吸収性の不織布により形成することができる。
本発明の水性物質吸収性領域部１０となる不織布は、上記汗等の水性物質吸収性能を有するものであれば、特に限定されるものでない。用いることができる不織布としては、特に制限はないが、目的に応じて、公知のものの中から適宜選択することができ、例えば、湿式不織布、乾式パルプ不織布、乾式不織布、スパンボンド不織布、メルトブロー不織布、フラッシュ紡糸不織布、トウ開繊式不織布等が挙げられ、これらは、１種単独で使用しても良いし、２種以上併用しても良い。また、その製造方法は特に限定されるものではなく、目的に応じて適宜選択することができ、例えば、ケミカルボンド法、サーマルボンド法、ニードルパンチ法、スパンレース法、スパンボンド法、メルトブロー法等を用いて製造することができる。
好ましくは、更に汗をすばやく吸収する点から、開孔状スパンレース不織布、または、開孔状でないスパンレース不織布、若しくは乾式パルプ不織布により形成することが好ましい。
【００１３】
開孔状スパンレース不織布により水性物質吸収性領域部を形成する場合には、更に好ましくは、孔面積が０．１〜１０ｍｍ2であり、かつ、坪量４０〜１５０ｇ／ｍ2とすることが望ましい。この坪量が４０ｇ／ｍ2未満である場合にはゲルが染み出して、汗の吸収性を妨げると共にゲルが肌に接触してしまい使用感触が低下してしまう場合があり、逆に、坪量が１５０ｇ／ｍ2を超えて大きくなった場合は、汗吸収性には優れるが、ゲルの清涼感が認知できなくなってしまう。
また、開孔面積が０．１ｍｍ2未満の場合には、ゲルの清涼感を感じにくくなり、また、１０ｍｍ2を超え大きい場合にはゲルの清涼感は感じるものの、ぬるつきが気になってしまうこととなる。
なお、このスパンレース不織布中に占める孔の割合（孔占有率）は、冷却効果とぬめりのなさの点から、１〜６０％とすることが望ましい。
【００１４】
開孔状でないスパンレース不織布により水性物質吸収性領域部を形成する場合には、好ましくは、坪量が１５〜１００ｇ／ｍ2とすることが望ましい。この坪量が１５ｇ／ｍ2未満である場合には、汗を十分吸収できなくなり、十分機能を果たさなくなり、逆に１００ｇ／ｍ2を超えて大きい場合には、汗吸収性には優れるが、ゲルの清涼感が認知できなくなってしまうこととなる。
【００１５】
乾式パルプ不織布により水性物質吸収性領域部を形成する場合には、好ましくは、坪量１５〜１００ｇ／ｍ2とすることが望ましい。この坪量が１５ｇ／ｍ2未満である場合には、汗を十分吸収できなくなり、十分機能を果たさなくなり、逆に１００ｇ／ｍ2を超えて大きい場合には、汗吸収性には優れるが、ゲルの清涼感が認知できなくなってしまうこととなる。
【００１６】
本発明では、更に汗などの水性物質を吸収せしめる点から、不織布の使用繊維のうち親水性繊維を不織布中に４０質量％（以下、「質量％」を単に「％」という）以上含有（使用）することが好ましく、更に好ましくは、５０〜１００％とすることが望ましい。
用いることができる親水性繊維としては、特に制限はなく、目的に応じて適宜選択することができ、例えば、綿、パルプ、麻等の天然セルロース系繊維、ビスコースレーヨン、銅アンモニウムレーヨン、リオセル、テンセル等の再生セルロース系繊維、キチン、アルギン酸繊維、コラーゲン繊維等の再生繊維などが挙げられ、これらは、１種単独でも２種以上併用しても良い。
これらの中でも、天然セルロース系繊維、再生セルロース系繊維の使用が原料供給性、コスト、吸汗性の点で更に好ましい。
また、風合い改良、嵩高性向上などの目的で合成繊維を使用しても良い。例えば、ポリオレフィン系繊維、ポリエステル系繊維、ポリアミド系繊維、ポリアクリロニトリル系繊維、ポリビニルアルコール系繊維、ポリウレタン系繊維などが挙げられる。
【００１７】
本発明において、水を含有したゲル状組成物領域部２０は、冷却感を肌に与え、肌のほてりなどを鎮める基材部となるものであり、水を含有したゲル状組成物から構成することができる。
本発明に用いることができる水を含有したゲル状組成物は、実用上、痒み、発赤等の皮膚一次刺激等に対する安全性が確保され、冷却感を肌に与え、肌のほてりなどを鎮めるものであれば、特に制限されるものではなく、公知の技術を使用することができ、例えば、高分子化合物を主剤とする水を含有したゲル状組成物から構成することができる。
【００１８】
水溶性高分子化合物としては、例えば、ゼラチン、ポリアクリル酸、ポリアクリル酸ナトリウム、カルボキシビニルポリマー、ポリビニルアルコール、ポリビニルピロリドン、ジメチルポリシロキサン、ポリエチレンオキサイド、カルボキシメチルセルロースナトリウム、カルボキシメチルセルロースカリウム、ヒドロキシプロピルセルロース、ヒドロキシエチルセルロース、メチルセルロース、メタアクリル酸コポリマー、アルギン酸ナトリウム、キサンタンガム、アラビアガム、トラガントガム、カラヤガム、無水マレイン酸共重合体等が挙げられ、これらは１種単独で又は２種以上を適宜組み合わせて使用することができる。
【００１９】
本発明の場合、特に、ポリアクリル酸、ポリアクリル酸ナトリウム等のポリアクリル酸塩、それらの架橋物などのポリアクリル酸系高分子化合物とカルボキシメチルセルロースナトリウムなどのセルロース誘導体に他の高分子化合物を混合して用いることが望ましい。
【００２０】
ポリアクリル酸系高分子化合物を含有するゲル状組成物は、高含水率の含水ゲル状組成物が得られ、しかも皮膚への粘着力に優れている。具体的には、ポリアクリル酸として、分子量及び直鎖状、分岐鎖状いずれも使用することができ、分子量１万〜１０００万のものを用いることが好ましい。特に重量平均分子量が１万〜５０万未満、５０万〜２００万未満、２００万〜４００万の平均分子量を有するポリアクリル酸を２種または３種以上組み合わせると、使用感が向上するので好適である。
【００２１】
また、ポリアクリル酸塩としては、ポリアクリル酸ナトリウム、ポリアクリル酸カリウム等のポリアクリル酸の一価金属塩、ポリアクリル酸モノエタノールアミン、ポリアクリル酸ジエタノールアミン、ポリアクリル酸トリエタノールアミン等のポリアクリル酸のアミン塩、ポリアクリル酸のアンモニウム塩等の１種又は２種以上が好適に使用し得る。
【００２２】
ここで、ポリアクリル酸とポリアクリル酸塩との配合比（質量比）は１：０．１〜１：１０、特に１：０．２〜１：５とすることが好ましいが、ポリアクリル酸又は塩を一部中和してポリアクリル酸塩が上記比率になるようにしたものを用いても差し支えない。また、ポリアクリル酸及びポリアクリル酸塩の合計配合量は、組成物全体の０．５〜２０％、特に１〜１５％とすることが好ましく、０．５％未満では粘着力が不足する場合があり、２０％を超えると粘度が高くなり、製造時の作業性に問題が生じることがある。
【００２３】
水性ゲル基剤は、ポリアクリル酸とポリアクリル酸塩とを適当な架橋剤を添加することにより架橋したものを使用すると好適であり、このような架橋剤としては、ポリアクリル酸とポリアクリル酸塩とを架橋し得る限り、その種類は特に制限されないが、特に、多価金属化合物が好適に使用される。この場合、多価金属化合物としてはマグネシウム化合物、カルシウム化合物、亜鉛化合物、カドミウム化合物、アルミニウム化合物、チタン化合物、錫化合物、鉄化合物、クロム化合物、マンガン化合物、コバルト化合物、ニッケル化合物等が使用し得るが、皮膚に対する安全性を考慮するならば、アルミニウム化合物、マグネシウム化合物、カルシウム化合物等を用いることが好ましい。
【００２４】
アルミニウム化合物、マグネシウム化合物及びカルシウム化合物としては、例えば、カリウムミョウバン、アンモニウムミョウバン、鉄ミョウバン等のミョウバン類、水酸化アルミニウム、硫酸アルミニウム、硫酸アルミニウムアンモニウム、硫酸アルミニウムカリウム、塩化アルミニウム、酢酸アルミニウム、酸化アルミニウム、合成ケイ酸アルミニウム、メタケイ酸アルミニウム、水酸化カルシウム、炭酸カルシウム、硫酸カルシウム、硝酸カルシウム、塩化カルシウム、酢酸カルシウム、酸化カルシウム、リン酸カルシウム、水酸化マグネシウム、炭酸マグネシウム、硫酸マグネシウム、酢酸マグネシウム、ケイ酸マグネシウム、酸化マグネシウム、水酸化アルミナ・マグネシウム、メタケイ酸アルミン酸マグネシウム、ケイ酸アルミン酸マグネシウム、合成ヒドロタルサイト、ジヒドロキシアルミニウムアミノアセテート、アルジオキサ、これらの金属を含む複塩等の水溶性化合物、水難溶性化合物のうちの１種又は２種以上を使用し得る。
【００２５】
好ましい架橋剤は、メタケイ酸アルミン酸マグネシウム、ケイ酸アルミン酸マグネシウム、合成ヒドロタルサイト、ジヒドロキシアルミニウムアミノアセテート、メタケイ酸アルミニウム、ケイ酸マグネシウム、水酸化カルシウム、水酸化アルミニウム、水酸化マグネシウムである。上記架橋剤の好適な配合量は、その種類により種々異なるが、組成物全体の０．００１〜５％が好ましく、特に０．０１〜１％とすると、良好な凝集力と粘着力が得られるため、好ましい。
【００２６】
上記架橋剤に加えて架橋調整剤を配合することが好ましい。架橋調整剤としては、例えばクエン酸、グリコール酸、グルコン酸、フマル酸、コハク酸、リンゴ酸、酒石酸、乳酸、エデト酸二ナトリウム等を挙げることができ、これらは１種単独で又は２種以上を適宜組み合わせて使用することができる。架橋調整剤の配合量は、適宜選定することができるが、ゲル状組成物全体の０．００１〜１０％程度が好適である。この範囲で、良好な架橋速度に調整することが出来る。
【００２７】
上記の他、ポリアクリル酸とポリアクリル酸塩との架橋体として配合することもできる。それらの例としては、例えば特開昭５９−１１０６１４号公報、同５９−１１０６１６号公報、同５９−１１０６１７号公報、同６０−９９１８０号公報、同６０−２６０５１２号公報、同６０−２６０５１３号公報等に記載されたポリアクリル酸とポリアクリル酸塩との金属架橋体を含有する水性ゲル基剤が好ましく使用できる。また、カーボポール（商品名：米国グッドリッチ社製）等のアクリル酸重合体を一部架橋したものも好適に使用し得る。
【００２８】
セルロース誘導体としては、例えば、カルボキシメチルセルロースのアルカリ金属塩、ヒドロキシメチルセルロース、ヒドロキシエチルセルロース、ヒドロキシプロピルセルロース、メチルセルロース等の１種又は２種以上が使用し得るが、特にカルボキシメチルセルロースナトリウム、カルボキシメチルセルロースカリウム等のカルボキシメチルセルロースのアルカリ金属塩が好適に使用し得る。なお、セルロース誘導体を添加する場合、その配合量は組成物全体の１５％以下とすることが好ましい。１５％を超えると粘度が高くなり、製造時の作業性に問題が生じる場合がある。また、５０％を超えると、水性粘着基剤の凝集力が低下し、剥離時に水性粘着基剤が被着体に残る場合が生じる。
【００２９】
ポリアクリル酸、ポリアクリル酸塩、セルロース誘導体の他の水溶性高分子物質として、ポリビニルアルコール、ポリビニルピロリドン、ゼラチン、ペクチン、ビニルピロリドン・ビニルアセテート共重合体、ヒドロキシプロピルセルロース、アルギン酸ナトリウム、キサンタンガム、トラガントなどを配合する場合、その配合量は、ゲル状組成物全体の０〜１０％とすると、良好な硬さのゲル状組成物が得られるため好ましい。
【００３０】
上記水溶性高分子化合物の総量は、ゲル状組成物の１〜５０％、好ましくは３〜４０％、より好ましくは５〜３０％が好ましい。この範囲で、優れた凝集力と粘着性が得られ、製造性も良好となる。
【００３１】
このゲル状組成物の水分量は、組成物中１０〜９０％、好ましくは３０％以上、更に好ましくは３０〜８０％、最も好ましくは３０〜７０％である。この範囲で、清涼感など使用感が良好で、保形性に優れたゲル状組成物が得られる。
【００３２】
本発明で使用されるゲル状組成物には、本発明の効果を損なわない範囲で、上記成分の他に、高吸水性高分子化合物、鉱物性粉末、界面活性剤、可塑剤、多価アルコール、油分、粘着付与剤などを含有することができる。
【００３３】
高吸水性高分子化合物としては、例えば、架橋ポリアクリル酸の部分中和物などのイオン性高吸水性高分子、変性ポリアルキレンオキサイド、Ｎ−ビニルアセトアミド架橋体、アクリルアミド架橋体等のノニオン性高吸水性高分子化合物があげられる。好ましいものは、ノニオン性高吸水性高分子化合物である。ノニオン性高吸水高分子は、イオン濃度の高い水性液に対する吸水能力が、イオン性のものに比しては高いため、イオン濃度の高い製剤（例えば、ゲル状化粧料、医薬品、パップ剤等）中で安定に多量の水を保持することが可能である。
【００３４】
好ましい高吸水性高分子化合物は、サンウエットＩＭ−１０００（三洋化成、吸水能８００倍）サンフレッシュＡＴ−３５（三洋化成、吸水能８００倍）、アクアコーク（住友精化：吸水能３０倍）、ノニオレックスＮＡ−０１０（吸水能５０倍）、ノニオレックスＮＡ−１５０（吸水能５０倍）、ノニオレックスＮＡ−５００（吸水能５０倍）（昭和電工）等が、市販されている。高吸水性高分子化合物の配合量は、好ましくは組成物全体の０．１〜３０％、より好ましくは０．５〜１５％である。
【００３５】
鉱物性粉末としては、例えば、カオリン、ベントナイト、スメクタイト、モンモリロナイト、酸化亜鉛、酸化チタン、無水ケイ酸等が挙げられ、これらは１種単独で又は２種以上を適宜組み合わせて使用することができる。鉱物性粉末の配合量は、適宜選定することができるが、通常、含水ゲル状組成物全体の５％程度が好適である。多すぎると展延できなくなる程、含水粘着剤の硬度が硬くなる場合がある。
【００３６】
界面活性剤としては、親油型グリセリンモノステアレート、自己乳化型グリセリンモノステアレート、ポリグリセリンモノステアレート、ソルビタンモノオレート、ポリエチレングリコールモノステアレート、ポリオキシエチレンソルビタンモノオレート、ポリオキシエチレンセチルエーテル、ポリオキシエチレン化ステロール、ポリオキシエチレン化ラノリン、ポリオキシエチレン化蜜ロウ、ポリオキシエチレン硬化ヒマシ油等のノニオン界面活性剤、ステアリン酸ナトリウム、パルミチン酸カリウム、セチル硫酸ナトリウム、ラウリルリン酸ナトリウム、パルミチン酸トリエタノールアミン、ポリオキシエチレンラウリルリン酸ナトリウム、Ｎ−アシルグルタミン酸ナトリウム等のアニオン界面活性剤、塩化ステアリルジメチルベンジルアンモニウム、塩化ステアリルトリメチルアンモニウム等のカチオン界面活性剤、塩化アルキルアミノエチルグリシン液、レシチン等の両性界面活性剤等を例示することができる。
【００３７】
好ましい界面活性剤の具体的な例としては、ＰＯＥ（２５）ラウリルエーテル、蔗糖脂肪酸エステル、モノオレイン酸ソルビタン、モノラウリン酸ソルビタン、ヤシ油脂肪酸ソルビタン、モノステアリン酸ソルビタン、グリセリルモノオレート、ラウリン酸グリセリル、ヤシ油脂肪酸グリセリル、モノラウリン酸ポリエチレングリコール、モノオレイン酸ポリエチレングリコール、ミリスチン酸グリセリル、デカグリセリルモノオレート、ジグリセリルジオレート、ヘキサグリセリルモノラウレート、プロピレングリコールモノステアレート、ＰＯＥ（２０）ソルビタンモノオレート、ＰＯＥ（６０）ソルビットテトラオレート、ＰＯＥ（４０）モノステアレート、ＰＯＥ（１０）オレイルエーテル、ＰＯＥ（１０）ノニルフェニルエーテル、ＰＯＥ（５０）硬化ひまし油、ＰＯＥ（５）オレイン酸アミド、オレイン酸ジエタノールアミド、ラウリン酸ジエタノールアミドなどが挙げられる。（上記表記において、ＰＯＥ（２５）→２５モルのエチレンオキシドを付加した構造であることを示す）界面活性剤は、好ましくは粘着剤組成物中に０．０１〜１０％、特に好ましくは０．１〜５％含有させることができる。
【００３８】
多価アルコールとしては、例えば、グリセリン、ソルビトール、エチレングリコール、ジエチレングリコール、トリエチレングリコール、ポリエチレングリコール、プロピレングリコール、ポリプロピレングリコール、１，３−ブチレングリコール、１，３−プロパンジオール、１，４−ブタンジオール、マルチトール、キシリトール等の１種又は２種以上を使用し得る。好ましい多価アルコールはグリセリン、ソルビトール、ポリエチレングリコールである。なお、多価アルコールを添加する場合、その配合量は組成物全体の配合量は、好ましくは５〜７０％、より好ましくは１０〜５０％である。
【００３９】
粘着付与剤としては、ポリビニルアルコール、ポリビニルピロリドン、カルボキシビニルポリマー、ポリエチレングリコール、プロピレングリコール、ヒドロキシプロピルセルロース、ヒドロキシプロピルメチルセルロース、ヒマシ油、アラビアゴム、キサンタンガム、アルギン酸ナトリウム、白色ワセリン、デキストリンなどがあげられる。含有量は０．０１〜２０％、特に好ましくは０．１〜１０％である。
【００４０】
本発明のゲル状組成物には、上記成分の他に、本発明の効果を損なわない範囲で、更に、組織修復剤、抗炎症剤、皮膚軟化剤等の角質改善成分、保湿成分、血流促進成分から選ばれる薬効成分を含有することが好ましい。
【００４１】
組織修復剤としては、アラントインおよびその誘導体、グリチルリチン酸、グルチルレチン酸およびその誘導体、アズレン、ε−アミノカプロン酸、甘草、紫根、ヒノキチオール、アロエなどが挙げられる。
抗炎症剤としては、非ステロイド系抗炎症剤、ステロイド系抗炎症剤が使用できる。
非ステロイド系抗炎症剤としては、サリチル酸とその塩類、アスピリンなどのサリチル酸誘導体、アセトアミノフェン、アミノピリン、アンチピリン、オキシフェンブタゾン、スルピリン、アンフェナックナトリウム、インドメタシン、ジクロフェナックナトリウム、フェルビナク、イブプロフェン、スリンダック、ナプロキセン、ケトプロフェン、スプロフェン、エトフェナメート、サリチルアミド、トリエタノールアミンサリチレート、フルフェナム酸とその塩類及びその誘導体、メクロフェナム酸とその塩類及びその誘導体、コルヒチン、ブフェキサマック、イブフェナック、ロキソプロフェン、フェンブフェン、ジフルニサル、アルクロフェナック、フェニルブタゾン、メフェナム酸とその塩類及びその誘導体、フェノプロフェン、ベンダザック、ピロキシカム、フルルビプロフェン、ザルトプロフェン、エトドラクなどが挙げられる。
【００４２】
ステロイド系抗炎症剤としては、アムシノイド、吉草酸プレドニゾロン、吉草酸ジフルコルトロン、吉草酸ベータメタゾン、酢酸ベータメタゾン、酢酸デキサメタゾン、ジプロピオン酸ベータメタゾン、デキサメタゾン、トリアムシノロンアセトニド、リルシノニド、ヒドロコルチゾン、ピバル酸フルメタゾン、フルオシノニド、フルオシノロンアセトニド、フルオトメトロン、フルドロキシコルチド、プレドニゾロン、プロピオン酸クロベタゾール、プロピオン酸ベクロメタゾン、ベタメタゾン、メチルプレドニゾロン、メチルプレドニゾロンアセテート、酪酸ヒドロコルチゾン等が挙げられる。
【００４３】
皮膚軟化剤としては、サリチル酸、乳酸、グリコール酸、ヒドロキノン、ヘパリン、コンドロイチン硫酸などが挙げられる。
保湿剤としては、動植物由来成分、油性成分、海藻抽出物、アミノ酸類等、およびこれらの混合物が用いられる。
【００４４】
動植物由来成分としては、乳酸塩、ピロリドンカルボン酸塩、アミノ酸としてグリシン、アラニン、アスパラギン酸、グルタミン酸、アルギニン等およびその塩、尿素、ヒアルロン酸ナトリウム、コンドロイチン硫酸ナトリウム、アラントイン、ヘパリン、コラーゲン、エラスチン、乳清、大豆蛋白、アルギン酸ナトリウム、ペクチン、カラギーナン、コメヌカエキス、アロエエキス、トレハロース、キチン誘導体、キトサン誘導体、プラセンター、セラミド、大豆リン脂質、ベタイン、甘草抽出末、コメヌカ発酵エキス、アラントインおよびその誘導体、アルニカエキス、ビワ葉エキス、マロニエエキス、ヨモギエキスなどがあげられる。
【００４５】
油性成分としては、ヒマシ油、オリーブ油、カカオ油、パーム油、椿油、ヤシ油、木ロウ、ホホバ油、グレープシード油、アボガド油等の植物油脂類；ミンク油、卵黄油等の動物油脂類；ミツロウ、鯨ロウ、ラノリン、カルナウバロウ、キャンデリラロウ等のロウ類；流動パラフィン、スクワラン、マイクロクリスタリンワックス、セレシンワックス、パラフィンワックス、ワセリン等の炭化水素類；ラウリン酸、ミリスチン酸、ステアリン酸、オレイン酸、イソステアリン酸、ベヘニン酸等の天然および合成脂肪酸類；セタノール、ステアリルアルコール、ヘキシルデカノール、オクチルドデカノール、ラウリルアルコール等の天然および合成高級アルコール類；ミリスチン酸イソプロピル、パルミチン酸イソプロピル、ミリスチン酸オクチルドデシル、オレイン酸オクチルドデシル、コレステロールオレート等のエステル類を例示することができる。
【００４６】
海藻抽出物としては、アオサ科、オゴノリ科、テングサ科、ミリン科、コンブ科、アイヌワカメ科、ホンダワラ科、ヒバマタ科、フノリ科、ヒトエグサ科、ミル科、ウシケノリ科、スギノリ科、カギノリ科、イバラノリ科、ナガマツモ科、モヅク科、ダービリア科、レッソニア科およびダルス科に属する海藻の抽出物があげられる。
【００４７】
その他、例えば、乳酸塩、ピロリドンカルボン酸塩、グリシン，アラニン，バリン，ロイシン，イソロイシン，フェニルアラニン，トリプトファン，シスチン，システイン，メチオニン，プロリン，ヒドロキシプロリン，アスパラギン酸，グルタミン酸，アルギニン，ヒスチジン，リジン及びこれらの誘導体、塩等のアミノ酸類、尿素などがあげられる。
【００４８】
血流促進剤としては、酢酸トコフェロール、酢酸レチノールなどがあげられる。好ましい角質荒れ改善成分としては、グリコール酸、乳酸、サリチル酸、グリチルレチン酸、アラントイン、ビタミンＡ、ビタミンＥなどのビタミン類、トリメチルグリシン、海藻抽出物、アロエ抽出物、オリーブ油、ホホバ油、シリコン油などである。
【００４９】
角質改善成分の含有量は、各成分の有効量により、適宜調整されるが、皮膚への刺激、使用感の点から、２０％以下、好ましくは１０％以下であることが好ましい。
【００５０】
本発明のゲル状組成物には、前記成分の他、更に、香料、色素、防腐剤などの添加物を含有することができる。
香料は、製品の香気設計により植物精油などの天然香料、調合香料を使用できる。天然香料としては、例えばアニス、アンジェリカ、安息香、イモーテル、カモミール、ガーリック、カルダモン、ガルバナム、キャラウェイ、キャロットシード、グアアックウッド、グレープフルーツ、オレンジ、サイプレス、サンダルウッド、シダーウッド、ジュニパー、スターアニス、セージ、ゼラニウム、セロリ、タイム、タラゴン、テレビン、トウヒ、乳香、バイオレット、パイン、パセリ、バーチ、パチュリー、バラ、ヒソップ、フェンネル、ブラックペッパー、ボダイジュ花、没薬、ヤロウ、レモン、レモングラス、ローズマリー、ローレル、シモツケギク、モモ、ヤグルマギク、ユーカリ、ユズ、ラベンダー、ウイキョウ、ダイウイキョウ、ケイヒ、チョウジ、チアミン、テレビン、ヘノポジ、ヤマジン、トウカ、ベルガモット、シトロネラ、ゼラニウム等のハーブ系精油類またはエキス類があげられる。
【００５１】
調合香料は、各種香料成分を適宜組み合わせて調合される。香料成分としては、メントール、カンフル、リモネン、リナロール、等のテルペノイド化合物などがあげられる。香料の含有量は、０．０００１〜１質量％程度が好ましい。
【００５２】
色素としては、水溶性色素、有機顔料が好ましく用いられる。これらの色素は、法定色素などから適宜選択して使用することができる。含有量としては、０．００００５〜０．１％、特に０．０００１〜０．０１％程度が好適である。
【００５３】
防腐剤としては、メチルパラベン、プロピルパラベンなどのパラオキシ安息香酸エステル、塩化ベンザルコニウムなどの４級カチオン、安息香酸塩、サリチル酸塩、ソルビン酸塩、デヒドロ酢酸塩、２，４，４′−トリクロロ−２′−ヒドロキシジフェニルエーテル、３，４，４′−トリクロロカルバニリド、ヒノキチオール、レゾルシン、エタノール等があげられる。防腐剤の含有量は、ゲル状組成物中に０．０１〜５％が好ましい。
【００５４】
本発明のゲル組成物の製造方法は、公知の方法により製造することができるが、アクリル系の粘着性を有する組成物等についてはヘンシェルミキサーを用いてゲルを作り支持体に塗工する方法で製造できる。支持体に塗工する際に、汗吸収シート部となる水性物質吸収性領域部（不織布）を同時に密着させることにより一体化ができる。
また、カラギーナンや寒天などを使用した組成物については、加熱後液状ゲルを最適な型に流し込み冷却させるか、あるいは大面積のシート状に成型させることにより製造できる。汗吸収シートとなる水性物質吸収性領域部（不織布）をゲルが固まる前に密着させて一体化させることにより製造することができる。
【００５５】
本発明では、更に、ゲル状組成物に、清涼感を向上させるために清涼化剤を含有することもできる。
清涼化剤としては、例えばメントール類（ｌ−メントール、ｌ−メンチルグリセリルエーテル、ｌ−イソプレゴール、ｐ−メンタン−３，８ジオール、ｎ−エチル−ｐ−メンタン−３−カルボキシアミド、メンチルラクテート）、吸熱反応物質（エリスリトール、キシリトール、マンニトール、マルチトール、ソルビトール、尿素、グルコース、タウリン、グリシン、炭酸水素ナトリウム）等が挙げられる。
【００５６】
本発明では、汗拭きシート面（水性物質吸収性領域部１０の表面）に感触を良くするために、粉体を担持等せしめて含有せしめることもできる。
用いることができる粉体の形状は特に制限がなく、目的に応じて、適宜選択することができ、例えば、球状、楕円体、直方体、破砕もしくは粉砕等された不定形、多面体、ジャガイモ状、鱗片状等の形状が挙げられ、これらの中でも、球状、楕円体であることが好ましい。これらの粉体の形状は、１種単独で使用してもよいし、２種以上を組み合わせてもよい。
また、前記粉体としては、好ましくは、平均粒径１〜１５０μｍ、より好ましくは、３〜５０μｍである粉体が望ましく、目的に応じて公知のものの中から適宜選択すれば良いが、例えば、天然鉱物、合成高分子化合物から選択されるものが良い。
天然鉱物としては、例えば、無水ケイ酸、マグネシア・シリカ、ケイ酸、タルク、セリサイト、マイカ、カオリン、クレー、ベントナイト、雲母、酸化マグネシウム、酸化亜鉛、酸化チタン、酸化アルミニウム、硫酸アルミニウム、ミョウバン、硫酸カルシウム、硫酸バリウム、硫酸マグネシウム、コーンスターチなどが挙げられ、これらは１種単独で使用しても良いし、２種以上併用しても良い。これらの中でも、無水ケイ酸、ケイ酸マグネシウムなどが好ましい。
【００５７】
また、合成高分子化合物としては、例えば、ポリメタクリル酸メチル系樹脂（市販品としてガンツ化成社製のガンツパールシリーズ、松本油脂製薬社製の松本マイクロスフェアーＭ、積水化成品工業社製のテクノポリマーＭＢ、綜研化学社製のファインパウダーＭＰ等）、破砕シリカ（市販品として富士シリシア化学社製のサイリシア７００シリーズ、サイリシア５００シリーズなど）、合成シリカビーズ（市販品として、三好化成社製のＳＢ−７００、ＳＢ−３００、ＭＳビーズ、ＮＳビーズ）、シリカ粉末、ナイロン樹脂、ポリスチレン樹脂、ポリエチレン樹脂、シリコーン樹脂、セルローズビーズ、変性コーンスターチ等が挙げられ、これらは１種単独で使用しても良いし、２種以上併用しても良い。
なお、前記合成高分子化合物は、適宜合成したものであっても良いし、市販品であっても良い。
【００５８】
これらの粉体の含有量（担持量）は、特に制限は無く、目的に応じて適宜選択することができるが、汗吸収シート部となる水性物質吸収性領域部（不織布）に、１〜５０ｇ／ｍ2が好ましく、３〜３０ｇ／ｍ2がより好ましい。
この量が１ｇ／ｍ2未満であると、更に十分なサラサラ感を付与できず、また、５０ｇ／ｍ2を超えると、繊維間に粉体を保持できなくなる。
更に、汗吸収シート部となる水性物質吸収性領域部（不織布）に含有せしめる成分としては、本発明の効果を損なわない範囲で、しかも、配合できる量であれば特に制限はなく、目的に応じて適宜選択することができる。例えば、極性油、極性油以外の油分、界面活性剤、保湿剤、抗炎症剤、美白剤、紫外線吸収剤、殺菌剤、制汗剤、香料、中和剤、防腐剤、酸化防止剤、安定化剤、ビタミン類、抗菌剤、収斂剤、帯電防止剤、ｐＨ調整剤などが挙げられる。
【００５９】
このように構成される本発明の身体清浄用シートの厚さは、使用性、吸水性と冷却効果の点から、０．５〜１０ｍｍとすることが好ましい。
【００６０】
このように構成される本発明の身体清浄用シートでは、水性物質吸収性領域部と、水を含有したゲル状組成物領域部とを有することにより、汗を十分に吸収し、同時に冷却感を肌に与えてほてりも鎮めることができるものとなる。
【実施例１】
【００６１】
次に、実施例により本発明を更に詳細に説明するが、下記実施例等に限定されるものではない。
【００６２】
〔実施例１〜２８〕
下記表１に記載の水性物質吸収性領域部となる各孔面積及び坪量（目付）の開孔状の不織布Ｍ１〜Ｍ１６、下記表２に記載の水性物質吸収性領域部となる各坪量（目付）の開孔状でない不織布及び乾式パルプ不織布Ｐ１〜Ｐ７、下記表３に記載のゲル状組成物支持体Ｓ１〜Ｓ２、下記表４及び表５に記載の配合組成となるゲル状組成物（組成例１〜１０、配合単位：質量％、全量１００質量％）を夫々用いて、下記表６に示す組み合わせで、下記方法にて各身体清浄用シートを作製した。
得られた各身体清浄用シートについて、汗吸収性、清涼感（冷却感）、ぬるつきのなさを下記各評価方法に従い評価した。
これらの結果を下記表６に示す。
【００６３】
（身体清浄用シート：１０×７．５ｃｍの作製方法）
実施例１〜２５〔図１（ａ）準拠〕では、各組成のゲル状組成物５ｇを各支持体に塗工するときに、不織布を同時に密着させて、又は冷却して固まるゲル状組成物は固まる直前に不織布を同時に密着させて各身体清浄用シートを作製した。
実施例２６〜２８〔図１（ｂ）又は（ｃ）準拠〕では、あらかじめ不織布に貼り合わておいた水不透過性フィルム又は水不透過性不織布の面に各組成のゲル状組成物５ｇを塗工して密着させるか、又は冷却して固まるゲル状組成物は固まる直前に密着させて各身体清浄用シートを作製した。
【００６４】
（汗吸収性の評価方法）
２０人のパネラーが各身体清浄用シートで額の汗を拭いたときの吸汗性を下記評価基準で評価した。
評価基準：
◎：非常に吸汗性が良い
○：吸汗性が良い
△：吸汗性がやや良くない
×：吸汗性が悪い
【００６５】
（清涼感の評価方法）
２０人のパネラーが各身体清浄用シートで額の汗を拭いた後の清涼感を下記評価基準により評価した。なお、平均点が３点以上の時に、冷感吸収性物品として十分に使用できる。
評価基準：
５点：非常に清涼感がある
４点：かなり清涼感がある
３点：清涼感がある
２点：あまり清涼感がない
１点：まったく清涼感がない
【００６６】
（ぬるつきのなさの評価方法）
２０人のパネラーが各身体清浄用シートで額の汗を拭いた後のぬるつきのなさを下記評価基準により評価した。
評価基準：
◎：まったくぬるつかない
○：ほとんどぬるつかない
△：ややぬるつく
×：非常にぬるつく
【００６７】
【表１】
2005095495.tif 000002
【００６８】
【表２】
2005095495.tif 000003
【００６９】
【表３】
2005095495.tif 000004
【００７０】
【表４】
2005095495.tif 000005
【００７１】
【表５】
2005095495.tif 000006
【００７２】
【表６】
2005095495.tif 000007
【００７３】
上記表１〜６の結果から明らかなように、本発明の範囲となる各形態の実施例１〜２８は、いずれも汗吸収性、清涼感（冷却感）に優れ、ぬるつきもない身体清浄用シートが得られることが判明した。
【図面の簡単な説明】
【００７４】
【図１】（ａ）は、本実施形態の一例を示す身体清浄用シートの概略斜視図、（ｂ）及び（ｃ）は本実施形態の他例を示す身体清浄用シートの概略斜視図である。
【符号の説明】
【００７５】
Ａ  身体清浄用シート
１０  水性物質吸収性領域部
２０  水を含有したゲル状組成物領域部
【図１】
2005095495.tif 000008